(57)【要約】【課題】発光部への電力供給が容易にでき、しかも、可撓性が良いケーブルを提供する。【解決手段】電力供給用の導体２と、導体２の外周側に配置され、可撓性を有する絶縁性材料で形成された絶縁被覆４及び防食被覆５から成る絶縁層３と、導体２から給電され、可撓性を有し、且つ、電圧の印加によって発光材が絶縁層３の外方に向かって発光する発光部１０とを備えたケーブル１Ａである。又、電力供給用の導体と、導体の外周側に配置され、可撓性を有する絶縁性材料で形成された絶縁被覆及び防食被覆から成る絶縁層とを備え、絶縁層には、導体から給電され、電圧の印加によって発光する有機発光材が含有されたケーブルである。【選択図】図１
2011023293.tif 000002
【特許請求の範囲】
【請求項１】
電力供給用の導体と、前記導体の外周側に配置され、可撓性を有する絶縁性材料で形成された絶縁層と、前記導体から給電され、可撓性を有し、且つ、電圧の印加によって発光材が前記絶縁層の外方に向かって発光する発光部とを備えたことを特徴とするケーブル。
【請求項２】
請求項１記載のケーブルであって、
前記発光部は、前記絶縁層の外面に配置されたことを特徴とするケーブル。
【請求項３】
請求項１記載のケーブルであって、
前記発光部は、前記絶縁層の溝に埋設されたことを特徴とするケーブル。
【請求項４】
電力供給用の導体と、前記導体の外周側に配置され、可撓性を有する絶縁性材料で形成された絶縁層とを備え、
前記絶縁層には、前記導体から給電され、電圧の印加によって発光する有機発光材が含有されたことを特徴とするケーブル。
【発明の詳細な説明】
【技術分野】
【０００１】
本発明は、外方に向かって発光するケーブルに関する。
【背景技術】
【０００２】
岸壁に停泊した船舶、駐車中の車両などに外部から電力を供給するのに、ケーブルが使用される。かかるケーブルの使用環境は、周囲の照明が不十な場合が多々あり、安全上の問題よりいわゆる、光るケーブルの使用が好適である。
【０００３】
この種の従来のケーブルとしては、特許文献１に開示されたものがある。このケーブルは、導体と、導体の外周を被う絶縁内皮と、絶縁内皮の外周を被う遮蔽層と、遮蔽層の外周を被い、且つ、蓄電材料が含有された絶縁外皮と、絶縁外皮の外周を被う保護層とから構成されている。
【０００４】
この従来例によれば、太陽光や蛍光灯などの光を絶縁外皮内の蓄電材料が受光すると、その蓄電したエネルギーによって夜間でも発光する。従って、夜間におけるケーブルの視認性が高い。しかし、昼間等にあって光の照射が得られない場合には、夜間に発光せず、又、蓄電したエネルギーがなくなると発光しなくなる。
【０００５】
そこで、昼間等にあって光の照射が得られない場合にも夜間の発光が可能である従来のケーブルとしては、特許文献２に開示されたものがある。このケーブルは、導体と、この導体の外周を被い、電界によって発光する発光材料が含有された発光樹脂層とから構成されている。
【０００６】
この従来例によれば、発光樹脂層に電界を発生させれば夜間でも発光し、夜間におけるケーブルの視認性が高い。
【先行技術文献】
【特許文献】
【０００７】
【特許文献１】特開平１１−２８８６２７号公報
【特許文献２】特開２０００−３１１５２３号公報
【発明の概要】
【発明が解決しようとする課題】
【０００８】
しかしながら、前記従来例では、発光樹脂層が低密度ポリエチレンに発光材料のジスチルベンゼンを加えたものである。低密度ポリエチレン材料は、高い硬度であるため、ケーブルに可撓性がないという問題がある。
【０００９】
そこで、本発明は、前記した課題を解決すべくなされたものであり、発光部への電力供給が容易にでき、しかも、可撓性が良いケーブルを提供することを目的とする。
【課題を解決するための手段】
【００１０】
本発明は、電力供給用の導体と、前記導体の外周側に配置され、可撓性を有する絶縁性材料で形成された絶縁層と、前記導体から給電され、可撓性を有し、且つ、電圧の印加によって発光材が前記絶縁層の外方に向かって発光する発光部とを備えたことを特徴とする。
【００１１】
また、他の本発明は、電力供給用の導体と、前記導体の外周側に配置され、可撓性を有する絶縁性材料で形成された絶縁層とを備え、
前記絶縁層には、前記導体から給電され、電圧の印加によって発光する有機発光材が含有されたことを特徴とする。
【発明の効果】
【００１２】
本発明によれば、発光部への電力供給が容易にでき、しかも、可撓性を有するケーブルを提供できる。
【図面の簡単な説明】
【００１３】
【図１】本発明の第１実施形態を示し、（ａ）はケーブルの斜視図、（ｂ）はケーブルの断面図である。
【図２】本発明の第１実施形態を示し、発光部の構成図である。
【図３】本発明の第２実施形態を示し、（ａ）はケーブルの斜視図、（ｂ）はケーブルの断面図である。
【図４】本発明の第３実施形態を示し、ケーブルの断面図である。
【図５】本発明の第４実施形態を示し、ケーブルの断面図である。
【図６】本発明の第５実施形態を示し、ケーブルの断面図である。
【図７】（ａ）は第１〜第４実施形態に係る発光部の発光層が無機発光材である場合の給電例を示す概略側面図、（ｂ）はその概略断面図である。
【図８】第１〜第４実施形態に係る発光部の発光層が有機発光材である場合の給電例を示す概略側面図、（ｂ）はその概略断面図である。
【図９】（ａ）は第５実施形態に係る防食被覆の防食発光層への給電例を示す側面図、（ｂ）はその断面図である。
【発明を実施するための形態】
【００１４】
以下、本発明の実施形態を図面に基づいて説明する。
【００１５】
（第１実施形態）
図１及び図２は本発明の第１実施形態を示し、図１（ａ）はケーブル１Ａの斜視図、図１（ｂ）はケーブル１Ａの断面図、図２は発光部の構成図である。
【００１６】
図１（ａ）、（ｂ）に示すように、ケーブル１Ａは、電力供給用の導体２と、この導体２の外周側に配置され、可撓性を有する絶縁性材料で形成された絶縁層３と、この絶縁層３の外周面に設けられた発光部１０とを備えている。
【００１７】
絶縁層３は、導体２の外周を覆う絶縁被覆４と、この絶縁被覆４の外周を覆う防食被覆５との二層より構成されている。
【００１８】
発光部１０は、電圧の印加によって発光材がエレクトロ・ルミネセンス（ＥＬ）電界発光を行うものであり、長尺状の薄膜シート状に形成されている。薄膜シート状の発光部１０は、防食被覆５の外周面上に螺旋状に巻き付けられている。薄膜シート状の発光部１０は、図２に詳しく示すように、例えば無機の発光材から成る発光体層（ＺｎＳ＋Ｃｕ）１１と、この発光体層１１の裏面に配置された誘電体層（ＢａＴｉＯ３）１２と、発光体層１１及び誘電体層１２を挟むように配置された裏面電極（ＣＡ，Ａｇ）１３及び透明電極（ＩＴＯ）１４と、裏面電極１３の外面に配置された保護層（メジウム）１５と、透明電極１４の外面を覆うＰＥＴフィルム１６とから構成されている。各層１１〜１６は、可撓性を有する材料より形成され、発光部１０全体としても可撓性良く形成されている。保護層１５側、又は、ＰＥＴフィルム１６側が防食被覆５に例えば接着剤で固定されている。裏面電極１３と透明電極１４間には、交流電圧が給電されるよう構成されている。そして、裏面電極１３と透明電極１４間に交流電圧を印加されると、透明電極１４側より外方に向かって発光する。
【００１９】
上記構成において、発光部１０に電圧が印加されると、発光部１０が外方に向かって発光する。
【００２０】
第１実施形態のケーブル１Ａは、その導体２が電力供給用のものであり、必ず電源に接続されるものであるため、発光部１０への電力供給が容易にできる。又、可撓性を有する絶縁層３に、同じく可撓性を有する発光部１０を設けているので、ケーブル１Ａ自体の可撓性も確保できる。以上より、ケーブル１Ａは、発光部１０への電力供給が容易にでき、しかも、可撓性が良い。
【００２１】
発光部１０は、絶縁層３の外面に配置されているので、発光部１０の設置が容易である。
【００２２】
薄膜シート状の発光部１０は、防食被覆５の外周面に螺旋状に配置されているので、ケーブル１Ａの回転向きに拘わらず発光部１０からの発光を視認できる。
【００２３】
（第２実施形態）
図３は本発明の第２実施形態を示し、図３（ａ）はケーブル１Ｂの斜視図、図１（ｂ）はケーブル１Ｂの断面図である。
【００２４】
図３（ａ）、（ｂ）に示すように、この第２実施形態のケーブル１Ｂの防食被覆５には、ケーブル長手方向に沿って一直線状に溝５ａが形成されている。この溝５ａ内に薄膜シート状の発光部１０が埋設されている。他の構成は、発光部１０の内部構成をも含めて前記第１実施形態と同様であるため、重複説明を省略する。そして、第１実施形態と同一構成箇所には同一符号を付して明確化を図る。
【００２５】
この第２実施形態のケーブル１Ｂは、前記第１実施形態と同様の理由によって、発光部１０への電力供給が容易にでき、しかも、可撓性が良い。
【００２６】
発光部１０は、防食被覆５の溝５ａに埋設されているので、ケーブル１Ｂの径が大きくならない。又、発光部１０は、一直線状に配置されるため、発光部１０の設置を容易にできる。
【００２７】
（第３実施形態）
図４は本発明の第３実施形態に係るケーブル１Ｃの断面図である。図４に示すように、第３実施形態のケーブル１Ｃは、前記第１実施形態のものと比較して、発光部１０の外周を覆う光透過性材の保護層７を備えている点が相違する。他の構成は、前記第１実施形態と同様であるため、重複説明を省略し、同一構成箇所には同一符号を付して明確化を図る。
【００２８】
この第３実施形態のケーブル１Ｃは、前記第１実施形態と同様の理由によって、発光部１０への電力供給が容易にでき、しかも、可撓性が良い。その上、発光部１０が保護層７で被覆されているため、発光部１０が外部からのダメージに強い。
【００２９】
（第４実施形態）
図５は本発明の第４実施形態に係るケーブル１Ｄの断面図である。図５に示すように、第４実施形態のケーブル１Ｄは、前記第２実施形態のものと比較して、発光部１０が埋設された防食被覆５に外周を覆う光透過性材の保護層７を備えている点が相違する。他の構成は、前記第２実施形態と同様であるため、重複説明を省略し、同一構成箇所には同一符号を付して明確化を図る。
【００３０】
この第４実施形態のケーブル１Ｄは、前記第２実施形態と同様の理由によって、発光部１０への電力供給が容易にでき、しかも、可撓性が良い。その上、発光部１０が保護層７で被覆されているため、発光部１０が外部からのダメージに強い。
【００３１】
（第１〜第４実施形態の変形例）
第１〜第４実施形態では、予め薄膜シート状に形成された発光部１０を防食被覆５に接着等によって設けているが、発光部１０の各層を塗布・蒸着によって防食被覆５に直に積層することによって設けても良い。
【００３２】
第１〜第４実施形態では、発光部１０の発光層１１は、無機発光材にて形成されているが、有機発光材にて形成しても良い。有機発光材の場合、発光の電源は直流電流である。
【００３３】
第１及び第３実施形態では、発光部１０を防食被覆５の外周面に螺旋状に設けたが、第２及び第４実施形態のように一直線上に設けても良く、配置パターン（２状の螺旋配列等）は自由である。第２及び第４実施形態では、発光部１０を防食被覆５の溝５ａ内に一直線上に埋設したが、第１及び第３実施形態のように螺旋状に埋設しても良く、配置パターン（２状の一直線配列等）は自由である。
【００３４】
（第５実施形態）
図６は本発明の第５実施形態のケーブル１Ｅの断面図である。図６に示すように、ケーブル１Ｅは、電力供給用の導体２と、この導体２の外周側に配置され、可撓性を有する絶縁性材料で形成された絶縁層３Ａとを備えている。絶縁層３Ａは、導体２の外周を覆う絶縁被覆４と、この絶縁被覆４の外周を覆う防食被覆５Ａとの二層より構成されている。
【００３５】
防食被覆５Ａは、ビニル、ゴムなどの有機防食材に、電圧の印加によってエレクトロ・ルミネセンス（ＥＬ）電界発光を行う有機発光材が含有された防食発光層５ａと、この防食発光層５ａの内外周にそれぞれ配置された陽極５ｂ及び陰極５ｃと、陰極５ｃの外周を覆う保護層５ｄとを備えている。陽極５ｂと陰極５ｃに直流電圧が給電されるよう構成されている。陽極５ｂと陰極５ｃの位置が逆でも良い。
【００３６】
上記構成において、防食被覆５Ａに電圧が印加されると、防食被覆５Ａが外方に向かって発光する。
【００３７】
この第５実施形態のケーブル１Ｅは、その導体２が電力供給用のものであり、必ず電源に接続されるものであるため、防食被覆５Ａへの電力供給が容易にできる。又、可撓性を有する防食被覆５Ａに有機発光材を含有しているので、ケーブル１Ｅ自体の可撓性も確保できる。以上より、ケーブル１Ｅは、防食被覆５Ａへの電力供給が容易にでき、しかも、可撓性が良い。
【００３８】
（第１〜第４実施形態に係る発光部への給電例）
図７（ａ）は第１〜第４実施形態に係る発光部１０の発光層が無機発光材である場合の給電例を示す概略側面図、図７（ｂ）はその概略断面図である。
【００３９】
図７（ａ）、（ｂ）に示すように、ケーブル１Ｆは、その一端が船外、車外に設置される交流電源部（ＡＣ２００Ｖ）２１に、他端が給電を行う船や車両側に接続される。ケーブル１Ｆは、各絶縁層３で覆われた二本の導体２と、発光部１０とを備えている。発光部１０の構成は、第１〜第４実施形態のものであり、その発光層が無機発光材で形成されている。発光部１０の裏面電極と透明電極は、二本の導体２に例えば各電線３０を介して電気的に接続されている。つまり、発光部１０は、ケーブル１Ｆ自体から給電されている。
【００４０】
尚、交流電源部２１の供給電源値（ＡＣ２００Ｖ）は、一例である。
【００４１】
図８（ａ）は第１〜第４実施形態に係る発光部１９の発光層が有機発光材である場合の給電例を示す概略側面図、図８（ｂ）はその概略断面図である。
【００４２】
図８（ａ）、（ｂ）に示すように、ケーブル１Ｇは、その一端が船外、車外に設置される電源部２０の交流電源部（ＡＣ２００Ｖ、１００Ｖ等）２１に、他端が給電を行う船や車両側に接続される。電源部２０は交流電源２１の他に直流電源部（ＤＣ５Ｖ）２２を有する。ケーブル１Ｆは、各絶縁層３で覆われた二本の導体２と、発光部１０とを備えている。発光部１０の構成は、第１〜第４実施形態のものであり、その発光層が有機発光材で形成されている。発光部１０の裏面電極と透明電極は直流電源部２２に例えば各電線３０を介して電気的に接続されている。つまり、発光部１０は、直流電源部２２より給電されている。
【００４３】
尚、交流電源部２１の供給電源値（ＡＣ２００Ｖ、１００Ｖ等）、及び、直流電源部２２の供給電源値（５Ｖ）は、一例である。
【００４４】
図９（ａ）は第５実施形態に係る防食被覆５Ａの防食発光層への給電例を示す側面図、図９（ｂ）はその断面図である。
【００４５】
図９（ａ）、（ｂ）に示すように、ケーブル１Ｈは、その一端が船外、車外に設置される電源部の交流電源部（ＡＣ２００Ｖ、１００Ｖ等）２１に、他端が給電を行う船や車両側に接続される。電源部２０は交流電源２１の他に直流電源部（ＤＣ５Ｖ）２２を有する。ケーブル１Ｈは、絶縁被覆４で覆われた二本の導体２と、防食被覆５Ａとを備えている。防食被覆５Ａの構成は、第５実施形態のものである。その防食発光層は、有機発光材が含有されたものより形成されている。防食被覆５Ａの陽極５ｂと陰極５ｃは直流電源部２２に例えば各電線３０を介して電気的に接続されている。つまり、防食被覆５Ａは、直流電源部２２より給電されている。
【００４６】
尚、直流電源部２２の供給電源値（５Ｖ）は、一例である。
【００４７】
以上、各実施形態に係る発光部への給電例を示したように、各ケーブル１Ｆ〜１Ｈが電力供給用のものであり、必ず電源に接続されるものであるため、発光部への電力供給が容易である。
【産業上の利用可能性】
【００４８】
本発明のケーブルは、送電ケーブル以外に、野鳥の送電線への衝突を防止する光るリング、工事現場等に置かれる表示灯等にも適用できる。
【符号の説明】
【００４９】
１Ａ〜１Ｈ  ケーブル
２  導体
３，３Ａ  絶縁層
５ａ  溝
１０  発光部
【図１】
2011023293.tif 000003
【図２】
2011023293.tif 000004
【図３】
2011023293.tif 000005
【図４】
2011023293.tif 000006
【図５】
2011023293.tif 000007
【図６】
2011023293.tif 000008
【図７】
2011023293.tif 000009
【図８】
2011023293.tif 000010
【図９】
2011023293.tif 000011